(57)【要約】【課題】外観が良好で且つ気密材の損傷を防止できるサッシを提供する。【解決手段】本発明のサッシ１において、上枠９は上外れ止め具１７と、ストッパ１９とを有し、上外れ止め具１７は上枠９の下面９ａに固定し障子５の上方移動を規制するものであると共に上枠長手方向に移動自在なものであり、ストッパ１９は障子５と干渉しない位置に移動した上外れ止め具１７に当接して上外れ止め具１７の移動を規制するものであり、障子５は下枠３５に下方から係合して障子の上方移動を規制する下外れ止め具３３を有し、下枠３５は切除部４３を有し、ストッパ１９に当接した上外れ止め具１７の側面１７ａに障子５の側面４５ａを合わせたときに、下外れ止め具３３が切除部４３の下方に位置し、障子５を上方へ移動できるものである。【選択図】図１
2007120185.tif 000002
【特許請求の範囲】
【請求項１】
上枠と下枠と障子とを備え、上枠は上外れ止め具と、ストッパとを有し、上外れ止め具は上枠の下面に固定し障子の上方移動を規制するものであると共に上枠長手方向に移動自在なものであり、ストッパは障子と干渉しない位置に移動した上外れ止め具に当接して上外れ止め具の移動を規制するものであり、障子は下枠に下方から係合して障子の上方移動を規制する下外れ止め具を有し、下枠は切除部を有し、ストッパに当接した上外れ止め具の側面に障子の側面を合わせたときに、下外れ止め具が切除部の下方に位置し、障子を上方へ移動できることを特徴とするサッシ。
【発明の詳細な説明】
【技術分野】
【０００１】
本発明は、サッシに関する。
【背景技術】
【０００２】
特許文献１には、障子に下枠に係合する下外れ止め具を設け、下枠に切除部を設けて、下外れ止め具が切除部の下に位置するように障子を移動して、障子を枠から脱着することが開示されている。
【０００３】
【特許文献１】特開平１０−８８１６号公報
【発明の開示】
【発明が解決しようとする課題】
【０００４】
しかし、目印がないのでどの位置で障子が外れるのか分からずに手探りで障子が外れる位置を探すので、気密材を損傷するという問題があった。
【０００５】
そこで、本発明は、外観が良好で且つ気密材の損傷を防止できるサッシの提供を目的とする。
【課題を解決するための手段】
【０００６】
請求項１に記載の発明は、上枠と下枠と障子とを備え、上枠は上外れ止め具と、ストッパとを有し、上外れ止め具は上枠の下面に固定し障子の上方移動を規制するものであると共に上枠長手方向に移動自在なものであり、ストッパは障子と干渉しない位置に移動した上外れ止め具に当接して上外れ止め具の移動を規制するものであり、障子は下枠に下方から係合して障子の上方移動を規制する下外れ止め具を有し、下枠は切除部を有し、ストッパに当接した上外れ止め具の側面に障子の側面を合わせたときに、下外れ止め具が切除部の下方に位置し、障子を上方へ移動できることを特徴とする。
上外れ止め具の側面に障子の側面を合わせるというのは、障子の側面が上外れ止めの側面に略一致する位置や、障子の側目が上外れ止め具の側面から数ｃｍの間隔をあけた位置にあることをいう。この間隔は、下外れ止め具と下枠の切除部との下枠長手方向における寸法差であり、切除部の下枠長手方向の寸法を広く取れば、それに応じてこの間隔も広くなる。
【発明の効果】
【０００７】
本発明によれば、ストッパとの当接位置にある上外れ止め具を目安として、障子の側面を上外れ止め具の側面に合わせれば、障子が脱着自在な位置になるので、障子の取外し位置を示すシール等を枠に設ける必要がなく、外観が良い。
障子を迷うことなく脱着位置に合わせることができるので、手探りで障子が外れる位置を探すことによる気密材の損傷を防止できる。
【発明を実施するための最良の形態】
【０００８】
以下に、添付図面を参照して本発明の実施の形態を説明する。図１の（ａ）は図２のＡ−Ａ断面図であり、（ｂ）は図４（ａ）のＢ−Ｂ断面図であり、図２は本実施の形態にかかるサッシの縦断面図であり、図３は本実施の形態にかかるサッシの横断面図であり、図４は上枠及び障子の上框部分の縦断面であり、（ａ）は図１のＣ−Ｃ位置で切断した図でり、（ｂ）はＥ−Ｅ位置で切断した図であり、図５は上外れ止め具の図であり、（ａ）は正面図、（ｂ）は平面図、（ｃ）は左側面図、（ｄ）は右側面図、（ｅ）は底面図であり、図６は下枠と障子との係合部分を切断して示す斜視図であり、図７は下外れ止め具の図であり、（ａ）は正面図、（ｂ）は平面図、（ｃ）は側面図、（ｄ）は底面図、（ｅ）は（ｂ）のＦ−Ｆ断面図である。
本実施の形態にかかるサッシ１は、引き違いサッシであり、枠３には、外障子（障子）５と内障子７とが設けてある。
上枠９には、外障子走行溝１１と、内障子走行溝１３とが設けてあり、外障子走行溝１１には外障子の走行を案内する上レール１５が設けてある。図４に示すように、外障子走行溝１１の室内側溝壁１１ａには外障子５の室内側面に当接する気密材１６が取付けてある。
更に、図１に示すように、上枠９は上外れ止め具１７とストッパ１９を有している。
上外れ止め具１７は、外障子５の上方への移動を規制するものであり、上レール１５と外障子走行溝１１の室内側溝壁１１ａとの間に設けてある。この上外れ止め具１７は、上枠９の下面９ａに固定し、外障子５の上方移動を規制するものであると共に上枠９の長手方向に移動自在になっている。上外れ止め具１７は、上レール１５の上端部に設けた室外側係合部２１と室内側溝壁１１ａの上端部に設けた室内側係合部２３とに係合して上枠９の長手方向における障子脱着位置の外方に移動自在に取付けてある。
上外れ止め具１７は、図５に示すように、その長手方向の一側に室内側係合部２１との被係合部２５ａと室外側係合部２３との被係合部２５ｂが設けてあり、他側にも同様に被係合部２６ａ、２６ｂが設けてある。一側の被係合部２５ａ、２５ｂは、自然状態で互いの間隔を狭くしてあり、被係合部２５ａ、２５ｂ間に挿入したねじ２７（図４参照）の締め付けによりに間隔を広げて上枠９の係合部２１、２３に圧接することにより、上外れ止め具１７を上枠９に固定するようになっている。
ストッパ１９は、障子脱着位置の外方に移動した上外れ止め具１７に当接して上外れ止め具１７が上枠９の長手方向に移動するのを規制するものであり、図４（ｂ）に示すように、室内側溝壁１１ａにおいて、室内側係合部２３と上枠９の上壁２９との間で室外側に向けて突設してある。本実施の形態では、ストッパ１９は室内溝壁１１ａを切り絞り加工により形成している。
図６に示すように、外障子５の下框３１には下外れ止め具３３が固定されている。下外れ止め具３３は下枠３５に係合し且つ外障子５と共に下枠３５の長手方向に移動自在になっている。下枠３５には、外障子５の室内側面に当接する気密材３７の保持部３９が設けてあり、下外れ止め具３３の係合部４１は、気密材保持部３９の下に位置している。
気密材保持部３９には切除部４３が設けてあり、下外れ止め具３３の係合部４１が切除部４３の下に位置したときに、係合部４１が下枠３５から上方に抜き出し可能になっている。切除部４３は下外れ止め具３３の係合部４１が通る大きさの寸法を有し、下枠３５の長手方向の幅Ｓが係合部４１の幅Ｔよりも充分に大きい寸法で切除してある。
次に、上枠９に設けたストッパ１９及び下枠３５に設けた切除部４３の位置について説明する。ストッパ１９に上外れ止め具１７が当接し、外障子５の竪框（召合せ框）４５の側面４５ａを上外れ止め具１７の側面１７ａに合わせたときに下外れ止め具３３が位置する箇所に切除部４３が設けてある。
【０００９】
次に、本実施の形態にかかるサッシ１における作用及び効果について説明する。
外障子５を枠３に取付けた状態において、上枠３に設けた上外れ止め具１７が外障子５の上に位置する場合には、上外れ止め具１７が外障子５の上方への移動を規制すると共に下外れ止め具３３が下枠３５に係合して、外障子５が上方に移動するのが規制されるので外障子５の外れが防止される。
外障子５を外すときには、図１に実線で示すように、外障子５が全閉位置にある状態から、上外れ止め具１７を固定しているねじ２７を緩めて、上外れ止め具１７をストッパ１９に当接する位置までスライドする。この位置で上外れ止め具１７は障子脱着位置の外方に位置することになる。次に、上外れ止め具１７がストッパ１９に当接した位置で、外障子５を上外れ止め具１７を目安として、上外れ止め具１７側に移動し、外障子５の側面（竪框４５の側面）４５ａを上外れ止め具１７の側面１７ａに合わせる。
その位置で、下外れ止め具３３の係合部４１が下枠３５の切除部４３の下に位置するので、外障子５を上に移動すると下枠３５から外れるので、外障子５をけんどん方式により枠３から外すことができる。
一方、外障子５を枠３に取付けるときには、上外れ止め具１７をストッパ１９との当接位置まで移動し、外障子５の側面４５ａを上外れ止め具１７の側面１７ａに合わせて、切除部４３から下枠３５に下外れ止め具３３の係合部４１を挿入して、枠３に外障子５を取付ける。
本実施の形態によれば、ストッパ１９との当接位置にある上外れ止め具１７を目安として、上外れ止め具１７の側面１７ａに外障子５の側面４５ａを合わせれば、外障子５が取外し可能な位置になるので、外障子５の取外し位置を示すシール等を枠３に設ける必要がなく、外観が良い。
外障子５の脱着位置は、ストッパ１９の当接位置にある上外れ止め具１７に外障子５の側面４５ａを合わせる位置であるから、迷うことなく外障子５を脱着位置に合わせることができるので、手探りで外障子５が外れる位置を探すことによる気密材１６、３７の損傷を防止できる。
ストッパ１９は、上枠３の室内側溝壁１１ａの上部を切り絞り加工により室外側に突設してあるから、外から見え難い。また、ストッパ１９を簡単に形成することができる。
【００１０】
本発明は、上述した実施の形態に限らず、本発明の要旨を逸脱しない範囲で種々変形可能である。
例えば、サッシ１は引き違いサッシに限らず、片引きサッシや引き分けサッシであってもよい。
図８に示すように、外障子５の側面４５ａは、戸先框の側面とし、ストッパ１９を外障子５が全閉じ位置にあるときの外障子５の上の位置に設ける構成としてもよい。この場合に、外障子５を外すときには、外障子５を全閉位置から全開位置に移動して外れ止め具１７を露出した後、外れ止め具１７をストッパ１９との当接位置にスライドし、戸先框４５の側面４５ａを上外れ止め具１７の側面１７ａに合わせて、枠３から障子５を脱着する。
内障子７に下外れ止め具３３を設け、内障子７に対応して上枠９に外れ止め具１７及びストッパ１９を設けると共に、内障子７の下外れ止め具３３に対応する位置に下枠３５の切除部４３を設けて、内障子７を外障子５と同様に枠３に脱着自在としてもよい。
上外れ止め具１７はねじの締め付けにより上枠に固定せずに、上枠に移動可能に係合しているだけでもよい。
ストッパ１９は上枠９に切り絞り加工で形成することに限らず、切り起しにより形成したり、上枠９とは別部品のものを取付けてもよい。
切除部４３の幅Ｓは下外れ止め具３３の係合部４１の幅Ｔよりも大きければよく、その寸法は限定されない。
【図面の簡単な説明】
【００１１】
【図１】（ａ）は図２のＡ−Ａ断面図であり、（ｂ）は図４（ａ）のＢ−Ｂ断面図である。
【図２】本実施の形態にかかるサッシの縦断面図である。
【図３】本実施の形態にかかるサッシの横断面図である。
【図４】上枠及び障子の上框部分を示す縦断面であり、（ａ）は図１のＣ−Ｃ位置で切断した図であり、（ｂ）はＥ−Ｅ位置で切断した図である。
【図５】上外れ止め具の図であり、（ａ）は正面図、（ｂ）は平面図、（ｃ）は左側面図、（ｄ）は右側面図、（ｅ）は底面図である。
【図６】下枠と障子との係合部分を切断して示す斜視図である。
【図７】下外れ止め具の図であり、（ａ）は正面図、（ｂ）は平面図、（ｃ）は側面図、（ｄ）は底面図、（ｅ）は（ｂ）のＦ−Ｆ断面図である。
【図８】他の実施の形態にかかるサッシを図１（ａ）と同じ位置で切断して示す断面図である。
【符号の説明】
【００１２】
１      サッシ
５      外障子（障子）
９      上枠
９ａ    下面
１５    上レール
１７    上外れ止め具
１７ａ  側面
１９    ストッパ
３３    下外れ止め具
３５    下枠
４３    切除部
４５ａ  竪框の側面（障子の側面）
【図１】
2007120185.tif 000003
【図２】
2007120185.tif 000004
【図３】
2007120185.tif 000005
【図４】
2007120185.tif 000006
【図５】
2007120185.tif 000007
【図６】
2007120185.tif 000008
【図７】
2007120185.tif 000009
【図８】
2007120185.tif 000010